(57)【特許請求の範囲】
【請求項１】
基地局が、ユーザ端末がタイムウインドウ内で報告したチャネル品質情報ＣＱＩと、ランク情報ＲＩと、予符号化行列情報ＰＭＩを用いて、前記ユーザ端末が現在位置されたダウンリンク伝送モード内でダウンリンクＭＩＭＯ方式を選択し、
前記基地局が、前記選択したダウンリンクＭＩＭＯ方式で前記ユーザ端末にデータを伝送するステップを含み、
基地局がユーザ端末がタイムウインドウ内で報告したチャネル品質情報ＣＱＩと、ランク情報ＲＩと、予符号化行列情報ＰＭＩを用いて、前記ユーザ端末が現在位置されたダウンリンク伝送モード内でダウンリンクＭＩＭＯ方式を選択するステップが、
前記ユーザ端末が前記タイムウインドウ内で報告した前記ＣＱＩを用いて、前記ユーザ端末のチャネル信号対干渉雑音比パラメータを計算し、
前記ユーザ端末が前記タイムウインドウ内で報告した前記ＲＩを用いて、前記ユーザ端末のチャネル相関性パラメータを計算し、
前記ユーザ端末が前記タイムウインドウ内で報告した前記ＰＭＩを用いて、前記ユーザ端末のチャネル変化状況パラメータを計算し、
前記ユーザ端末のチャネル信号対干渉雑音比パラメータと、チャネル相関性パラメータと、チャネル変化状況パラメータに基づいて、前記ユーザ端末が現在位置されたダウンリンク伝送モード内で前記ダウンリンクＭＩＭＯ方式を確定するステップを含む
ことを特徴とする多入力多出力ＭＩＭＯシステム用ダウンリンク伝送方法。
【請求項２】
0005560369.tif 000023
【請求項３】
0005560369.tif 000024
【請求項４】
前記ユーザ端末がＲＩを報告しないと、前記ユーザ端末のチャネル相関性パラメータが０であることを特徴とする請求項１に記載の方法。
【請求項５】
0005560369.tif 000025
【請求項６】
前記ユーザ端末がＰＭＩを報告していないと、前記ユーザ端末のチャネル変化状況パラメータが０であることを特徴とする請求項１に記載の方法。
【請求項７】
前記ユーザ端末のチャネル信号対干渉雑音比パラメータと、チャネル相関性パラメータと、チャネル変化状況パラメータに基づいて、前記ユーザ端末が現在位置されたダウンリンク伝送モード内で前記ダウンリンクＭＩＭＯ方式を確定するステップが、
前記チャネル信号対干渉雑音比パラメータの値が第１値で、前記チャネル相関性パラメータの値が第４値で、前記チャネル変化状況パラメータの値が第７値であって、前記ユーザ端末が現在ダウンリンク伝送モード４内である場合、前記ダウンリンクＭＩＭＯ方式として予符号化に基づく閉ループ空間多重化技術を選択し、
前記チャネル信号対干渉雑音比パラメータの値が第１値で、前記チャネル相関性パラメータの値が第４値で、前記チャネル変化状況パラメータの値が第８値であって、前記ユーザ端末が現在ダウンリンク伝送モード３内である場合、前記ダウンリンクＭＩＭＯ方式として予符号化に基づく開ループ空間多重化技術を選択し、
前記チャネル相関性パラメータの値が第３値で、前記チャネル変化状況パラメータの値が第７値であって、前記ユーザ端末が現在ダウンリンク伝送モード４又はダウンリンク伝送モード６内である場合、前記ダウンリンクＭＩＭＯ方式として階層数が１である閉ループ予符号化技術を選択し、
前記チャネル相関性パラメータの値が第３値で、前記チャネル変化状況パラメータの値が第７値であって、前記ユーザ端末がダウンリンク伝送モード７内である場合、前記ダウンリンクＭＩＭＯ方式としてビームフォーミング技術を選択し、
そうではないと、前記ダウンリンクＭＩＭＯ方式として前記ユーザ端末が現在位置されたダウンリンク伝送モード内のダイバーシチ送信技術を選択することを特徴とする請求項１に記載の方法。
【請求項８】
ユーザ端末がタイムウインドウ内で報告したチャネル品質情報ＣＱＩと、ランク情報ＲＩと、予符号化行列情報ＰＭＩを用いて、前記ユーザ端末が現在位置されたダウンリンク伝送モード内でダウンリンク多入力多出力ＭＩＭＯ方式を選択する選択モジュールと、
前記選択したダウンリンクＭＩＭＯ方式で前記ユーザ端末にデータを伝送する伝送モジュールと、を備え、
前記選択モジュールが、
前記ユーザ端末が前記タイムウインドウ内で報告した前記ＣＱＩを用いて、前記ユーザ端末のチャネル信号対干渉雑音比パラメータを計算する第１の計算モジュールと、
前記ユーザ端末が前記タイムウインドウ内で報告した前記ＲＩを用いて、前記ユーザ端末のチャネル相関性パラメータを計算する第２の計算モジュールと、
前記ユーザ端末が前記タイムウインドウ内で報告した前記ＰＭＩを用いて、前記ユーザ端末のチャネル変化状況パラメータを計算する第３の計算モジュールと、
前記ユーザ端末のチャネル信号対干渉雑音比パラメータ、チャネル相関性パラメータ、チャネル変化状況パラメータに基づいて、前記ユーザ端末が現在位置されたダウンリンク伝送モード内で前記ダウンリンクＭＩＭＯ方式を確定する決定モジュールと、を含む
ことを特徴とする基地局。
【発明の詳細な説明】
【技術分野】
【０００１】
本発明は、通信分野に関し、具体的に、多入力多出力（Ｍｕｌｔｉｐｌｅ  Ｉｎｐｕｔ  ａｎｄ  Ｍｕｌｔｉｐｌｅ  Ｏｕｔｐｕｔ：ＭＩＭＯ）システム用のダウンリンク伝送方法及び基地局に関する。
【背景技術】
【０００２】
ＬＴＥ（Ｌｏｎｇ  Ｔｅｒｍ  Ｅｖｏｌｕｔｉｏｎ、長期進化）無線通信システムは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重化）技術を基礎とする新世代の無線ネットワークシステムで、その無線側において、一層高いシステムスループット及びスペクトル効率を図るように、ＭＩＭＯと、高階変調及び対応する周波数選択的スケジューリングと、パワー制御等の技術を用いて協力する。
【０００３】
ＬＴＥシステムにおいて、ＭＩＭＯはユーザの平均スループット及びスペクトル効率要求を満たすことのできる最適な技術として認められている。当該目標を実現するため、ＬＴＥシステムにおいて、異なる無線チャネル環境で線形空域プリーコーディングと、ビームフォーミングと、ダイバーシチ送信等の方案を含むさまざまなＭＩＭＯ技術を自己適応的に選択して利用することができると規定された。
【０００４】
線形空域プリーコーディングの方法とは、送信端に複数の送信アンテナが存在する場合、1つの線形のプリーコーディング操作によって複数のデータストリームを複数のアンテナにマッピングすることを言う。ＵＥ（Ｕｓｅｒ  Ｅｑｕｉｐｍｅｎｔ：ユーザ端末）は、ダウンリンク空間のチャネル特性に対する推定に基づいてプリーコーディングベクトルを生成し、アップリンク制御チャネルを介してｅＮｏｄｅＢ側にフィードバックする。その原理は、プリーコーディング行列を介して送信信号をチャネル行列の対応する正規直交基に位置させることであって、その動作メカニズムは、複数の互いに独立した空間チャネルにて異なるデータストリームを伝達することによって、データ伝送のピークレートを向上することである。
【０００５】
Ｒａｎｋ＝１である場合のプリーコーディング方法の場合、アンテナ数量をＮとすると、データストリーム数量が１である場合、即ち、一つのデータストリームをＮ本のアンテナにマッピングする場合、当該空域の線形プリーコーディングを従来のビームフォーミング方法と見なすことができる。ビームフォーミング技術の原理は、空間チャネルの強相関性を利用し、波干渉原理を利用して強方向性の放射方向の図を形成し、放射方向の図のメインローブが自己適応的にユーザからの波方向へ指向するようにして信号対雑音比を向上し、システム容量又はカバー範囲を向上することである。一方、Ｒａｎｋ＝１である場合のプリーコーディングとビームフォーミングとの具体的な相違点は、ＵＥがダウンリンク空間チャネル特性に対する推定に基づいてプリーコーディングベクトルを生成し、アップリンク制御チャネルを介してｅＮｏｄｅＢ側にフィードバックすることのみにある。フィードバックする情報の量化問題に鑑み、ＬＴＥプロトコルに２本のアンテナモードと４本のアンテナモードにおけるフィードバックの重みリストのみが規定され、ＵＥ側が実際にフィードバックするＰＭＩ（ｐｒｅｃｏｄｉｎｇ  Ｍａｔｒｉｘ  Ｉｎｄｉｃａｔｏｒ：プリーコーディング行列インジケーター）は重みのインデックスである。
【０００６】
ダイバーシチの送信原理は、空間チャネルの弱相関性を利用し、時間/周波数上の選択性を結合し、ダイバーシチのゲインに基づいて信号伝送の信頼性を向上させることによって、受信信号の信号対雑音比を向上させることである。
【０００７】
ＬＴＥプロトコルに、さまざまなダウンリンク伝送モードが規定され、各ダウンリンク伝送モードはプリーコーディングに基づく空間多重化と、Ｒａｎｋ＝１のプリーコーディング及びダイバーシチの送信を含むさまざまなＭＩＭＯ技術を支援する。各ダウンリンク伝送モードに上記のさまざまなダウンリンクＭＩＭＯ技術が存在し、各ダウンリンクＭＩＭＯ技術がいずれも方向性を有しているが、現在のＬＴＥシステムにおいて、無線環境が変更された場合、ダウンリンクＭＩＭＯ伝送技術をリアルタイムに調節することができないので、リソース利用率が低い問題が存在している。
【発明の概要】
【発明が解決しようとする課題】
【０００８】
上記問題に鑑み、本発明は、多入力多出力システム用のダウンリンク伝送方法及び基地局を提供することを目的とする。
【課題を解決するための手段】
【０００９】
本発明の一態様によると、基地局は、ユーザ端末がタイムウインドウ内で報告したチャネル品質インジケーター（ＣＱＩ）と、ランクインジケーター（ＲＩ）と、プリーコーディング行列インジケーター（ＰＭＩ）を用い、ユーザ端末が現在位置しているダウンリンク伝送モード内でダウンリンクＭＩＭＯ方式を選択し、基地局が選択されたダウンリンクＭＩＭＯ方式でデータをユーザ端末に伝送するステップを含む多入力多出力システム用ダウンリンク伝送方法を提供する。
【００１０】
又、基地局は、ユーザ端末がタイムウインドウ内で報告したＣＱＩと、ＲＩと、ＰＭＩを用い、ユーザ端末が現在位置しているダウンリンク伝送モード内でダウンリンクＭＩＭＯ方式を選択するステップでは、ユーザ端末がタイムウインドウ内で報告したＣＱＩを用いユーザ端末のチャネル信号対干渉雑音比パラメータを計算するステップと、ユーザ端末がタイムウインドウ内で報告したＲＩを用いユーザ端末のチャネル相関性パラメータを計算するステップと、ユーザ端末がタイムウインドウ内で報告したＰＭＩを用いユーザ端末のチャネル変化状況パラメータを計算するステップと、ユーザ端末のチャネル信号対干渉雑音比パラメータと、チャネル相関性パラメータと、チャネル変化状況パラメータに基づいて、ユーザ端末の現在位置しているダウンリンク伝送モード内でダウンリンクＭＩＭＯ方式を決定するステップを含む。
【００１１】
0005560369.tif 000002
【００１２】
0005560369.tif 000003
【００１３】
また、ユーザ端末がＲＩを報告しないと、ユーザ端末のチャネル相関性パラメータは０である。
【００１４】
0005560369.tif 000004
【００１５】
また、ユーザ端末がＰＭＩを報告していないと、ユーザ端末のチャネル変化状況パラメータは０である。
【００１６】
また、ユーザ端末のチャネル信号対干渉雑音比パラメータと、チャネル相関性パラメータと、チャネル変化状況パラメータに基づいて、ユーザ端末が現在位置しているダウンリンク伝送モード内でダウンリンクＭＩＭＯ方式を決定するステップは、チャネル信号対干渉雑音比パラメータの値が第１値、チャネル相関性パラメータの値が第４値、チャネル変化状況パラメータの値が第７値であって、ユーザ端末が現在ダウンリンク伝送モード４内である場合、ダウンリンクＭＩＭＯ方式としてプリーコーディングに基づく閉ループ空間多重化技術を選択するステップと、チャネル信号対干渉雑音比パラメータの値が第１値、チャネル相関性パラメータの値が第４値、チャネル変化状況パラメータの値が第８値であって、ユーザ端末が現在ダウンリンク伝送モード３内である場合、ダウンリンクＭＩＭＯ方式としてプリーコーディングに基づくオープンループ空間多重化技術を選択するステップと、チャネル相関性パラメータの値が第３値、チャネル変化状況パラメータの値が第７値であって、ユーザ端末が現在ダウンリンク伝送モード４又はダウンリンク伝送モード６内である場合、ダウンリンクＭＩＭＯ方式として階層数が１である閉ループプリーコーディング技術を選択するステップと、チャネル相関性パラメータの値が第３値、チャネル変化状況パラメータの値が第７値であって、ユーザ端末がダウンリンク伝送モード７内である場合、ダウンリンクＭＩＭＯ方式としてビームフォーミング技術を選択するステップと、そうではないと、ダウンリンクＭＩＭＯ方式としてユーザ端末が現在位置しているダウンリンク伝送モード内のダイバーシチ送信技術を選択するステップを含む。
【００１７】
本発明の他の一態様によると、ユーザ端末がタイムウインドウ内で報告したチャネル品質インジケーター（ＣＱＩ）と、ランクインジケーター（ＲＩ）と、プリーコーディング行列インジケーター（ＰＭＩ）を用い、ユーザ端末が現在位置しているダウンリンク伝送モード内で一種のダウンリンクＭＩＭＯ方式を選択する選択モジュールと、選択されたダウンリンクＭＩＭＯ方式でデータをユーザ端末に伝送する伝送モジュールと、を備える基地局を提供する。
【００１８】
また、選択モジュールは、ユーザ端末がタイムウインドウ内で報告したＣＱＩを用い、ユーザ端末のチャネル信号対干渉雑音比パラメータを計算する第１の計算モジュールと、ユーザ端末がタイムウインドウ内で報告したＲＩを用い、ユーザ端末のチャネル相関性パラメータを計算する第２の計算モジュールと、ユーザ端末がタイムウインドウ内で報告したＰＭＩを用い、ユーザ端末のチャネル変化状況パラメータを計算する第３の計算モジュールと、ユーザ端末のチャネル信号対干渉雑音比パラメータ、チャネル相関性パラメータ、チャネル変化状況パラメータに基づいて、ユーザ端末が現在位置しているダウンリンク伝送モード内でダウンリンクＭＩＭＯ方式を決定する決定モジュールと、を含む。
【発明の効果】
【００１９】
本発明によると、ＵＥが報告したＣＱＩと、ＲＩと、ＰＭＩを、基地局がＵＥのためにダウンリンク伝送モード内でデータ伝送用として適切なＭＩＭＯ技術を選択する依拠とすることによって、ＬＴＥ通信システムにおいて、ダウンリンク伝送モード内でＵＥの位置及び位置する無線チャネル状況等に基づいて自己適応に適切なダウンリンクＭＩＭＯ技術を配置し、マルチアンテナ技術のメリットをさらに発揮でき、ＬＴＥ無線通信システムは各種のダウンリンクＭＩＭＯ技術の異なる特徴及び適用の状況を充分に利用でき、ＬＴＥシステムのカバー及びシステムの容量を最大限に増加できる効果を奏することができる。
【図面の簡単な説明】
【００２０】
ここで説明する図面は本発明を理解させるためのもので、本発明の一部を構成し、本発明における実施例と共に本発明を解釈し、本発明を不当に限定するものではない。
【図１】は、本発明の実施例に係わる多入力多出力システム用ダウンリンク伝送方法を示すフローチャートである。
【図２】は、本発明の好適な実施例に係わる多入力多出力システム用ダウンリンク伝送方法を示すフローチャートである。
【図３】は、本発明の実施例に係わる基地局を示す図である。
【発明を実施するための形態】
【００２１】
以下、図面を参照しつつ実施例を結合して本発明を詳しく説明する。ここで、互いに衝突しない限り、本願の実施例及び実施例に記載の特徴を互いに組み合わせることができる。
【００２２】
ＬＴＥシステムは、基地局（ｅＮｏｄｅＢ）と、ユーザ端末（ＵＥ）と、を備え、ｅＮｏｄｅＢは異なるダウンリンク伝送モードでＵＥのデータを伝送し、また、各種のダウンリンク伝送モードはさまざまなＭＩＭＯ技術を支援し、本発明における以下の実施例はＯＦＤＭ技術を基にＬＴＥシステムにて実現できる。
【００２３】
図１は、本発明の実施例に係わる多入力多出力（ＭＩＭＯ）システム用のダウンリンク伝送方法を示すフローチャートで、以下のステップを含む。
基地局は、ＵＥがタイムウインドウ内で報告したＣＱＩ（Ｃｈａｎｎｅｌ  Ｑｕａｌｉｔｙ  Ｉｎｄｉｃａｔｉｏｒ  ：チャネル品質インジケーター）と、ＲＩ（Ｒａｎｋ  Ｉｎｄｉｃａｔｉｏｎ：ランクインジケーター）と、ＰＭＩを用いて、ＵＥが現在位置しているダウンリンク伝送モード内で一種のダウンリンクＭＩＭＯ方式を選択する（ステップＳ１０２）。
【００２４】
例えば、ＬＴＥシステムにおいて、ＬＴＥプロトコルにより、ダウンリンク伝送モード内においてプリーコーディングに基づく空間多重化技術と、Ｒａｎｋ＝１のプリーコーディング（即ち、階層数が１であるプリーコーディング）技術と、ダイバーシチ送信等のＭＩＭＯ技術（即ち、ＭＩＭＯ方式）が含まれると規定されている。また、ＬＴＥプロトコルに、一部のダウンリンク伝送モード内において各ＵＥが基地局（ｅＮｏｄｅＢ）にＣＱＩ/ＲＩ/ＰＭＩ情報をフィードバックして報告すると規定されているので、上記情報に基づいて、ダウンリンク伝送モード内のＭＩＭＯ方式の選択方法の判定を実施できる。
【００２５】
基地局は、選択されたダウンリンクＭＩＭＯ方式で当該ＵＥにデータを伝送する（ステップＳ１０４）。
【００２６】
例えば、ステップＳ１０２を介してＵＥに対応するダウンリンク伝送モードが支援するさまざまなＭＩＭＯ技術から当該ＵＥのために適切なＭＩＭＯ技術を選択した後、基地局は当該選択されたＭＩＭＯ技術によって当該ＵＥのデータを伝送することで、ＵＥが各種のチャネル状況下でもＬＴＥシステムの容量を最大限に向上できる。
【００２７】
本実施例において、ＵＥが報告したＣＱＩと、ＲＩと、ＰＭＩを、基地局がＵＥのためにダウンリンク伝送モード内でデータ伝送用として一種の適切なＭＩＭＯ技術を選択する依拠とするので、ダウンリンク伝送モードで自己適応的に選択する方法を提供し、ＬＴＥ通信システムにおいて、ダウンリンク伝送モード内でＵＥの位置及び位置している無線チャネルシーン状況等に基づいて自己適応に対し適切なダウンリンクＭＩＭＯ技術を配置して、マルチアンテナ技術のメリットを発揮し、ＬＴＥ無線通信システムが各種のダウンリンクＭＩＭＯ技術の異なる特徴及びその適用の状況を充分に利用でき、ＬＴＥシステムのカバー及びシステム容量を最大限に増加できる効果を実現した。上記方法をＬＴＥシステムに用いることもできる。
【００２８】
そして、ダウンリンク伝送モードの間の切り替えに比べ、ダウンリンク伝送モードの内の切り替え（ステップＳ１０２を介して、ＵＥのために現在利用しているダウンリンク伝送モード内の第１のＭＩＭＯ技術と異なる当該ダウンリンク伝送モード内の第２のＭＩＭＯ技術を選択した場合、基地局は当該ＵＥへのデータ伝送用の第１のＭＩＭＯ技術を第２のＭＩＭＯ技術に切り替える）によると、ＭＡＣ（ｍｅｄｉａ  Ａｃｃｅｓｓ  Ｃｏｎｔｒｏｌ、媒体アクセス制御）シグナルによって完成でき、切り替えによる遅延を大幅に短縮させ、自己適応アルゴリズムが無線チャネルの変化に一層早めに適応できる。
【００２９】
0005560369.tif 000005
【００３０】
0005560369.tif 000006
【００３１】
その中、ユーザ端末がＲＩを報告しないと、ユーザ端末のチャネル相関性パラメータは０である。
【００３２】
0005560369.tif 000007
【００３３】
その中、ユーザ端末がＰＭＩを報告しないと、ユーザ端末のチャネル変化状況パラメータは０である。
【００３４】
上記ステップ１〜ステップ３を、基地局がＵＥのためにダウンリンクＭＩＭＯ技術を選択する判定アルゴリズムと称することができる。
【００３５】
0005560369.tif 000008
【００３６】
例えば、ステップ４において、ＵＥの現在位置しているダウンリンク伝送モードがダウンリンク伝送モード４である場合、基地局が現在ＵＥのデータ伝送用として利用しているダウンリンクＭＩＭＯ技術がプリーコーディングに基づく閉ループ空間多重化技術であると、上記ステップ１〜４に従ってＵＥのために選択したＭＩＭＯ技術は階層数が１である閉ループプリーコーディング技術又はダイバーシチ送信技術である場合、基地局はＵＥのデータ伝送用として利用するＭＩＭＩＯ技術を階層数が１である閉ループプリーコーディング技術に切り替え、又はダイバーシチ送信技術に切り替え、基地局が現在ＵＥのデータ伝送用として利用しているＭＩＭＯ技術が階層数が１である閉ループプリーコーディング技術であると、上記ステップ１〜４に従ってＵＥのために選択したＭＩＭＯ技術がプリーコーディングに基づく閉ループ空間多重化技術又はダイバーシチ送信技術である場合、基地局はＵＥのデータ伝送用として利用するＭＩＭＩＯ技術をプリーコーディングに基づく閉ループ空間多重化技術に切り替え、又はダイバーシチ送信技術に切り替え、基地局が現在ＵＥのデータ伝送用として利用しているＭＩＭＯ技術がダイバーシチ送信技術であると、上記ステップ１〜４に従ってＵＥのために選択したＭＩＭＯ技術がプリーコーディングに基づく閉ループ空間多重化技術又は階層数が１である閉ループプリーコーディング技術である場合、基地局はＵＥのデータ伝送用として利用するＭＩＭＩＯ技術をプリーコーディングに基づく閉ループ空間多重化技術又は階層数が１である閉ループプリーコーディング技術に切り替える。
【００３７】
又、上記ステップ１〜ステップ４に従ってＵＥのために選択したＭＩＭＯ技術は、基地局が現在ＵＥのデータ伝送用として利用しているＭＩＭＯ技術と同一であると、基地局は依然として現在のＭＩＭＯ技術によってＵＥのデータを伝送し、切り替えを行わない。
【００３８】
上記の好適な実施例による多入力多出力システム用のダウンリンク伝送方法用の判定アルゴリズムは簡単で、複雑度が低い。ダウンリンク伝送モード内で、さまざまなＭＩＭＯ技術の自己適応選択（切り替え）を実現し、ＵＥが各種のチャネル状況においてＬＴＥシステム容量を最大限に向上させることを殆ど満たし、また、当該方法によると、他の無線通信システム内のＭＩＭＯ技術の選択及び切り替えに普及させることができる。
【００３９】
また、ＵＥが報告したＣＱＩと、ＲＩと、ＰＭＩ情報に基づいて、チャネルＳＩＮＲ（Signal  Interference  Noise  Ratio、信号対干渉雑音比）パラメータと、チャネル相関性パラメータと、チャネル変化状況パラメータを統計して得て、ＵＥが位置する無線チャネルタイプを判定し、また、それに基づいて、自己適応的にＵＥに最も適合するダウンリンクＭＩＭＯ方式を判定する。当該アルゴリズムは、既存のプロトコルに規定されたフィードバック情報によって、システムスループットをできる限り向上させると共に、演算複雑度を明らかに増加させておらず、工程上の実施に便利である。
【００４０】
0005560369.tif 000009
【００４１】
0005560369.tif 000010
【００４２】
0005560369.tif 000011
【００４３】
0005560369.tif 000012
【００４４】
0005560369.tif 000013
【００４５】
0005560369.tif 000014
【００４６】
0005560369.tif 000015
【００４７】
0005560369.tif 000016
【００４８】
0005560369.tif 000017
【００４９】
0005560369.tif 000018
【００５０】
ダウンリンク伝送モード４を例にすると、ＬＴＥプロトコルに規定されたダウンリンク伝送モード４で支援するＭＩＭＯ技術はプリーコーディングに基づく閉ループ空間多重化技術と、Ｒａｎｋ＝１の閉ループプリーコーディング技術と、ダイバーシチ送信技術を含むので、上記ステップにて得られた各ＵＥの対応するパラメータに基づいて、各ＵＥが自己適応的に切り替える異なる上記３種類のダウンリンクＭＩＭＯ方式の中の一つを選択する。
【００５１】
0005560369.tif 000019
【００５２】
図３は、本発明の実施例に係わる基地局を示す図で、ＵＥがタイムウインドウ（Ｔ）内で報告したチャネル品質インジケーター（ＣＱＩ）、ランクインジケーター（ＲＩ）、プリーコーディング行列インジケーター（ＰＭＩ）を用いて、ＵＥが現在位置したダウンリンク伝送モード内でダウンリンクＭＩＭＯ方式を選択する選択モジュール１０と、選択したダウンリンクＭＩＭＯ方式でＵＥにデータを伝送する伝送モジュール２０と、を含む。
【００５３】
選択モジュール１０は、ＵＥがタイムウインドウ内で報告したＣＱＩを利用して、ＵＥのチャネル信号対干渉雑音比パラメータを計算する第１の計算モジュール１０２と、ＵＥがタイムウインドウ内で報告したＲＩに基づいて、ＵＥのチャネル相関性パラメータを計算する第２の計算モジュール１０４と、ＵＥがタイムウインドウ内で報告したＰＭＩを利用して、ＵＥのチャネル変化状況パラメータを計算する第３の計算モジュール１０６と、ＵＥのチャネル信号対干渉雑音比パラメータ、チャネル相関性パラメータ、チャネル変化状況パラメータに基づいて、ＵＥが現在位置したダウンリンク伝送モード内で上記選択されたダウンリンクＭＩＭＯ方式を決定する決定モジュール１０８と、を含むことが好ましい。
【００５４】
0005560369.tif 000020
【００５５】
0005560369.tif 000021
【００５６】
ユーザ端末がＲＩを報告しないと、第２の計算モジュール１０４がユーザ端末のチャネル相関性パラメータを０にすることが好ましい。
【００５７】
0005560369.tif 000022
【００５８】
ユーザ端末がＰＭＩを報告しないと、第３の計算モジュール１０６がユーザ端末のチャネル変化状況パラメータを０にすることが好ましい。
【００５９】
決定モジュール１０８は、チャネル信号対干渉雑音比パラメータの値が第１値、チャネル相関性パラメータの値が第４値、チャネル変化状況パラメータの値が第７値、且つＵＥが現在ダウンリンク伝送モード４内である場合、上記ダウンリンクＭＩＭＯ方式としてプリーコーディングに基づく閉ループ空間多重化技術を選択する第１の選択モジュールと、チャネル信号対干渉雑音比パラメータの値が第１値、チャネル相関性パラメータの値が第４値、チャネル変化状況パラメータの値が第８値、且つＵＥが現在ダウンリンク伝送モード３内である場合、上記ダウンリンクＭＩＭＯ方式としてプリーコーディングに基づくオープンループ空間多重化技術を選択する第２の選択モジュールと、チャネル相関性パラメータの値が第３値、チャネル変化状況パラメータの値が第７値、且つＵＥが現在ダウンリンク伝送モード４又はダウンリンク伝送モード６内である場合、上記ダウンリンクＭＩＭＯ方式として階層数が１である閉ループプリーコーディング技術を選択する第３の選択モジュールと、チャネル相関性パラメータの値が第３値、チャネル変化状況パラメータの値が第７値、且つＵＥが現在ダウンリンク伝送モード７内である場合、上記ダウンリンクＭＩＭＯ方式としてビームフォーミング技術を選択する第４の選択モジュールと、上記情況以外の他の情況において、上記ダウンリンクＭＩＭＯ方式としてＵＥが現在位置しているダウンリンク伝送モード内のダイバーシチ送信技術を選択する第５の選択モジュールと、を含むことが好ましい。
【００６０】
上記好適な実施例による基地局は、ＵＥより報告したＣＱＩ及びＲＩ情報又は前後タイムスロットのアップリンクチャネルが対応するデータにショックした相関値から各種のパラメータを取得し、判定アルゴリズムの信頼性を向上し、また、当該基地局はＬＴＥ  ＦＤＤ（周波数分割複信）及びＴＤＤ（時分割複信）システムに適用し、アルゴリズムの性能を保証した状況下、演算複雑度を増加させていなく、工程上の実現に便利であって、自己適応アルゴリズムによって各種の異なるチャネル環境に適応できる。
【００６１】
上述のように、本発明によると、以下のような技術的効果を実現できる。
（１）ＬＴＥシステムのプロトコル規定によって、ユーザ端末ＵＥが報告したＣＱＩと、ＲＩと、ＰＭＩ情報に基づいて、対応する各種のパラメータを取得し、ダウンリンク伝送モード内のＭＩＭＯ技術の選択用の判断アルゴリズムの信頼性を向上し、
（２）ＬＴＥ  ＦＤＤとＴＤＤシステムに適用し、識別結果の精度を保証する上で、演算複雑度を増加させずに、工程上の実現に便利であって、
（３）自己適応方法によって、各種の異なるチャネル環境に適用し、ＵＥが各種のチャネル情況下でもＬＴＥシステムの容量を最大限に向上できる。
【００６２】
当業者にとって、上記の本発明の各ブロック又は各ステップは共通の計算装置によって実現することができ、独立する計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを独立する集積回路ブロックに製作して実現することができることは明らかなことである。このように、本発明は如何なる特定のハードウェアとソフトウェアの結合にも限定されない。
【００６３】
以上は、本発明の好適な実施例に過ぎず、本発明を限定するものではない。当業者であれば本発明に様々な修正や変形が可能である。本発明の精神や原則内の如何なる修正、置換、改良などは本発明の保護範囲内に含まれる。
【図１】
0005560369.tif 000026
【図２】
0005560369.tif 000027
【図３】
0005560369.tif 000028